(57)【要約】【課題】  TV(テレビジョン)受像装置の設置場所が移動して、設定されたCH(チャンネル)に対し受信CHがずれた場合、CH内容がずれたことを表示して、ユーザに引越しでTV受像装置のCH内容がずれたことを認識させ、CHの再設定を促すようにする。【解決手段】  TV受像装置２において、放送電波からCH内容を検出するアナログ放送デコーダー５と、検出されたCH内容を記憶する記憶部１５と、TV受像装置２の電源接続を検出する電源接続検出手段（コンセント差込み検出回路１４）と、該電源接続検出手段が電源接続を検出したとき、受信中の放送電波から検出されたCH内容と記憶部１５に記憶された以前のCH内容を比較するCH内容比較手段（マイコン１０）と、該CH内容比較手段により比較されたCH内容が異なるときCH内容が相違している内容を前記表示装置８に表示する表示手段を備える。【選択図】図１
2006211099.tif 000002
【特許請求の範囲】
【請求項１】
放送電波を受信し放送映像を表示する表示装置を備えたテレビジョン受像装置において、
放送電波からチャンネル内容を検出するチャンネル内容検出手段と、
検出された前記チャンネル内容を記憶する記憶手段と、
前記テレビジョン受像装置の電源接続を検出する電源接続検出手段と、
前記電源接続検出手段が電源接続を検出したとき、受信中の放送電波から検出された前記チャンネル内容と前記記憶手段に記憶された以前のチャンネル内容を比較するチャンネル内容比較手段と、
前記チャンネル内容比較手段により比較されたチャンネル内容が異なるときチャンネル内容が相違している内容を前記表示装置に表示する表示手段を備えたことを特徴とするテレビジョン受像装置。
【請求項２】
前記テレビジョン受像装置は地上波アナログ放送用のテレビジョン受像装置であり、
前記チャンネル内容検出手段はチャンネルごとの放送電波の電界強度を検出してチャンネル内容を検出する手段を備え、
前記記憶手段は前記チャンネル内容検出手段で検出された放送電波の電界強度とチャンネル対電界強度の対応関係を記憶する手段を備え、
前記チャンネル内容比較手段は前記記憶手段に記憶されたチャンネル対電界強度の対応関係と受信中の放送電波から検出されたチャンネル対電界強度の対応関係を比較する手段を備え、
前記表示手段は、前記記憶手段に記憶されたチャンネル対電界強度の対応関係と受信中の放送電波から検出されたチャンネル対電界強度の対応関係が異なるときチャンネル内容が相違している内容を前記表示装置に表示することを特徴とする請求項1に記載のテレビジョン受像装置。
【請求項３】
前記テレビジョン受像装置は地上波デジタル放送を受信可能なテレビジョン受像装置であり、
前記チャンネル内容検出手段はチャンネルごとのＳＩＤを検出する手段を備え、
前記記憶手段は前記チャンネル内容検出手段で検出されたＳＩＤを記憶する手段を備え、
前記チャンネル内容比較手段は前記記憶手段に記憶されたＳＩＤと受信中の放送電波から検出されたＳＩＤを比較する手段を備え、
前記表示手段は、前記記憶手段に記憶されたＳＩＤと受信中の放送電波から検出されたＳＩＤが異なるときチャンネル内容が相違している内容を前記表示装置に表示することを特徴とする請求項1に記載のテレビジョン受像装置。
【請求項４】
前記テレビジョン受像装置は地上波アナログ放送、及び地上波デジタル放送を受信可能なテレビジョン受像装置であり、
前記チャンネル内容検出手段は地上波アナログ放送のチャンネルごとの放送電波の電界強度を検出してチャンネル内容を検出する手段と地上波デジタル放送のチャンネルごとのＳＩＤを検出する手段を備え、
前記記憶手段は前記チャンネル内容検出手段で検出された放送電波の電界強度とチャンネル対電界強度の対応関係を記憶する手段と前記チャンネル内容検出手段で検出されたＳＩＤを記憶する手段を備え、
前記チャンネル内容比較手段は前記記憶手段に記憶されたチャンネル対電界強度の対応関係と受信中の放送電波から検出されたチャンネル対電界強度の対応関係を比較する手段と前記記憶手段に記憶されたＳＩＤと受信中の放送電波から検出されたＳＩＤを比較する手段を備え、
前記表示手段は、前記記憶手段に記憶されたチャンネル対電界強度の対応関係と受信中の放送電波から検出されたチャンネル対電界強度の対応関係が異なるときチャンネル内容が相違している内容を前記表示装置に表示し、
前記記憶手段に記憶されたチャンネル対電界強度の対応関係と受信中の放送電波から検出されたチャンネル対電界強度の対応関係が同じであって前記記憶手段に記憶されたＳＩＤと受信中の放送電波から検出されたＳＩＤが異なるときチャンネル内容が相違している内容を前記表示装置に表示することを特徴とする請求項1に記載のテレビジョン受像装置。
【請求項５】
前記電源接続検出手段は前記テレビジョン受像装置の電源プラグと電源ＯＮ／ＯＦＦスイッチの間から電源電圧を入力し、電源電圧を検出したときテレビジョン受像装置を制御するマイコンに検出信号を出力することを特徴とする請求項1乃至４のいずれか一項に記載のテレビジョン受像装置。
【請求項６】
チャンネルごとの放送電波の電界強度が全て受信不能レベルの状態であると前記チャンネル内容検出手段が検出したとき前記表示手段は前記表示装置に故障対策画面の表示をする請求項1、請求項３、請求項４のいずれか一項に記載のテレビジョン受像装置。
【請求項７】
前記チャンネル内容検出手段がチャンネルごとのＳＩＤを全く検出しないとき、前記表示手段は前記表示装置に故障対策画面の表示をする請求項２に記載のテレビジョン受像装置。
【請求項８】
放送電波を受信し放送映像を表示する表示装置を備えたテレビジョン受像装置の受信チャンネルのずれ検出方法において、
受信中の放送電波から検出したチャンネル内容が以前のチャンネル内容と異なるときチャンネル内容が相違していることを前記表示装置の画面に表示をすることを特徴とする受信チャンネルのずれ検出方法。
【請求項９】
放送電波を受信し放送映像を表示する表示装置を備えたテレビジョン受像装置の受信チャンネルのずれ検出方法において、
放送電波からチャンネル内容を検出し、
検出された前記チャンネル内容を記憶し、
電源接続を検出したとき、受信中の放送電波から検出した前記チャンネル内容と記憶された以前のチャンネル内容を比較し、
比較されたチャンネル内容が異なるときチャンネル内容が相違している内容を前記表示装置に表示することを特徴とする受信チャンネルのずれ検出方法。
【発明の詳細な説明】
【技術分野】
【０００１】
本発明はテレビジョン受像装置に係り、特にテレビジョン受像装置の設置場所が移動して、設定されたチャンネル内容に対し受信チャンネル内容がずれた場合、チャンネル内容がずれたことを表示してチャンネルの再設定を促すようにしたテレビジョン受像装置に関する。
【背景技術】
【０００２】
テレビジョン受像装置を引越しなどで、引越し前の地域から離れた地域に移動して設置した場合、以前に受信できていたチャンネルが受信できなくなったり、チャンネルの内容が変わったりすることがある。地上波アナログ放送、地上波デジタル放送では、地域により同一チャンネル番号であっても異なる放送局が放送を受け持っていることが多々ある。また、地域によっては電波の届きにくい場所もある。
この場合、特開２０００−２２４５５２号公報（特許文献１）、特開２００４−１８６９９３号公報（特許文献２）などに見られるように、引越しでテレビジョン受像装置を移動させるとチャンネルの内容が変わるので、チャンネルを再設定するなどして対応していた。
【特許文献１】特開２０００−２２４５５２号公報
【特許文献２】特開２００４−１８６９９３号公報
【発明の開示】
【発明が解決しようとする課題】
【０００３】
ところで、引越しでテレビジョン受像装置を移動させるとチャンネル内容が変わるので、チャンネルを再設定する必要があると認識しているユーザは問題ないが、このような知識を持ったユーザばかりとは限らない。このような知識のないユーザは引越しでテレビジョン受像装置が故障してしまったと誤認する可能性がある。このため、テレビジョン受像装置を新しく買い換えたり、修理の手配をしたりするなど、無駄な費用や手間を費やすことになる。
【０００４】
また、従来技術にはチャンネル自動再設定の機能を持つテレビジョン受像装置もあるが、このような機能は、ユーザが引越しでテレビジョン受像装置を移動させるとチャンネル内容が変わるということを認識していないときにはチャンネル自動再設定を行うことができないし、またテレビジョン受像装置がユーザーにチャンネル自動再設定をすることを告げないで勝手にチャンネル自動再設定を行った場合には、チャンネル内容が変わってしまい、これまた、ユーザーにテレビジョン受像装置が故障したと誤認させる不都合がある。
【０００５】
本発明の目的は、上記従来技術の問題に鑑み、テレビジョン受像装置の設置場所が移動して、設定されたチャンネル内容に対し受信チャンネル内容がずれた場合、チャンネル内容がずれたことを表示して、ユーザに引越しでテレビジョン受像装置のチャンネル内容がずれたことを認識させ、チャンネルの再設定を促すようにしたテレビジョン受像装置を提供することにある。
【課題を解決するための手段】
【０００６】
本発明の請求項１に係る発明の要旨は、放送電波を受信し放送映像を表示する表示装置を備えたテレビジョン受像装置において、放送電波からチャンネル内容を検出するチャンネル内容検出手段と、検出された前記チャンネル内容を記憶する記憶手段と、前記テレビジョン受像装置の電源接続を検出する電源接続検出手段と、前記電源接続検出手段が電源接続を検出したとき、受信中の放送電波から検出された前記チャンネル内容と前記記憶手段に記憶された以前のチャンネル内容を比較するチャンネル内容比較手段と、前記チャンネル内容比較手段により比較されたチャンネル内容が異なるときチャンネル内容が相違している内容を前記表示装置に表示する表示手段を備えたことを特徴とするテレビジョン受像装置に存する。
また、本発明の請求項２に係る発明の要旨は、前記テレビジョン受像装置は地上波アナログ放送用のテレビジョン受像装置であり、前記チャンネル内容検出手段はチャンネルごとの放送電波の電界強度を検出してチャンネル内容を検出する手段を備え、前記記憶手段は前記チャンネル内容検出手段で検出された放送電波の電界強度とチャンネル対電界強度の対応関係を記憶する手段を備え、前記チャンネル内容比較手段は前記記憶手段に記憶されたチャンネル対電界強度の対応関係と受信中の放送電波から検出されたチャンネル対電界強度の対応関係を比較する手段を備え、前記表示手段は、前記記憶手段に記憶されたチャンネル対電界強度の対応関係と受信中の放送電波から検出されたチャンネル対電界強度の対応関係が異なるときチャンネル内容が相違している内容を前記表示装置に表示することを特徴とする請求項1に記載のテレビジョン受像装置に存する。
また、本発明の請求項３に係る発明の要旨は、前記テレビジョン受像装置は地上波デジタル放送を受信可能なテレビジョン受像装置であり、前記チャンネル内容検出手段はチャンネルごとのＳＩＤを検出する手段を備え、前記記憶手段は前記チャンネル内容検出手段で検出されたＳＩＤを記憶する手段を備え、前記チャンネル内容比較手段は前記記憶手段に記憶されたＳＩＤと受信中の放送電波から検出されたＳＩＤを比較する手段を備え、前記表示手段は、前記記憶手段に記憶されたＳＩＤと受信中の放送電波から検出されたＳＩＤが異なるときチャンネル内容が相違している内容を前記表示装置に表示することを特徴とする請求項1に記載のテレビジョン受像装置に存する。
また、本発明の請求項４に係る発明の要旨は、前記テレビジョン受像装置は地上波アナログ放送、及び地上波デジタル放送を受信可能なテレビジョン受像装置であり、前記チャンネル内容検出手段は地上波アナログ放送のチャンネルごとの放送電波の電界強度を検出してチャンネル内容を検出する手段と地上波デジタル放送のチャンネルごとのＳＩＤを検出する手段を備え、前記記憶手段は前記チャンネル内容検出手段で検出された放送電波の電界強度とチャンネル対電界強度の対応関係を記憶する手段と前記チャンネル内容検出手段で検出されたＳＩＤを記憶する手段を備え、前記チャンネル内容比較手段は前記記憶手段に記憶されたチャンネル対電界強度の対応関係と受信中の放送電波から検出されたチャンネル対電界強度の対応関係を比較する手段と前記記憶手段に記憶されたＳＩＤと受信中の放送電波から検出されたＳＩＤを比較する手段を備え、前記表示手段は、前記記憶手段に記憶されたチャンネル対電界強度の対応関係と受信中の放送電波から検出されたチャンネル対電界強度の対応関係が異なるときチャンネル内容が相違している内容を前記表示装置に表示し、前記記憶手段に記憶されたチャンネル対電界強度の対応関係と受信中の放送電波から検出されたチャンネル対電界強度の対応関係が同じであって前記記憶手段に記憶されたＳＩＤと受信中の放送電波から検出されたＳＩＤが異なるときチャンネル内容が相違している内容を前記表示装置に表示することを特徴とする請求項1に記載のテレビジョン受像装置に存する。
また、本発明の請求項５に係る発明の要旨は、前記電源接続検出手段は前記テレビジョン受像装置の電源プラグと電源ＯＮ／ＯＦＦスイッチの間から電源電圧を入力し、電源電圧を検出したときテレビジョン受像装置を制御するマイコンに検出信号を出力することを特徴とする請求項1乃至４のいずれか一項に記載のテレビジョン受像装置に存する。
また、本発明の請求項６に係る発明の要旨は、チャンネルごとの放送電波の電界強度が全て受信不能レベルの状態であると前記チャンネル内容検出手段が検出されたとき前記表示手段は前記表示装置に故障対策画面の表示をする請求項1、請求項３、請求項４のいずれか一項に記載のテレビジョン受像装置に存する。
また、本発明の請求項７に係る発明の要旨は、前記チャンネル内容検出手段がチャンネルごとのＳＩＤを全く検出しないとき、前記表示手段は前記表示装置に故障対策画面の表示をする請求項２に記載のテレビジョン受像装置に存する。
また、本発明の請求項８に係る発明の要旨は、放送電波を受信し放送映像を表示する表示装置を備えたテレビジョン受像装置の受信チャンネルのずれ検出方法において、受信中の放送電波から検出したチャンネル内容が以前のチャンネル内容と異なるときチャンネル内容が相違していることを前記表示装置の画面に表示をすることを特徴とする受信チャンネルのずれ検出方法に存する。
また、本発明の請求項９に係る発明の要旨は、放送電波を受信し放送映像を表示する表示装置を備えたテレビジョン受像装置の受信チャンネルのずれ検出方法において、放送電波からチャンネル内容を検出し、検出された前記チャンネル内容を記憶し、電源接続を検出したとき、受信中の放送電波から検出した前記チャンネル内容と記憶された以前のチャンネル内容を比較し、比較されたチャンネル内容が異なるときチャンネル内容が相違している内容を前記表示装置に表示することを特徴とする受信チャンネルのずれ検出方法に存する。
【発明の効果】
【０００７】
本発明によれば、テレビジョン受像装置の設置場所が移動して、設定されたチャンネル内容に対し受信チャンネル内容がずれた場合、チャンネル内容がずれたことを表示して、ユーザに引越しでテレビジョン受像装置のチャンネル内容がずれたことを認識させ、チャンネルの再設定を促すようにしたテレビジョン受像装置を提供できる。
【発明を実施するための最良の形態】
【０００８】
次に、本発明を実施するための最良の形態を、図面を参照して具体的に説明する。
【０００９】
（第１の実施の形態）
図１は本発明の具体的な地上波アナログ放送を受信するテレビジョン受像装置の実施の形態を示す機能ブロック図である。
図１において、１は放送電波を受信する受信アンテナ、２は地上波アナログ放送を受信するテレビジョン受像装置、３はテレビジョン受像装置を遠隔操作するリモートコントローラ（以下リモコンという）である。
【００１０】
更にテレビジョン受像装置２の構成を説明すると、４は所望のチャンネルを選局してその信号を出力する地上波アナログ放送用チューナーである。地上波アナログ放送用チューナー４からの出力はアナログ放送デコーダー５に入力される。アナログ放送デコーダー５は３次元ＹＣ分離回路、ＶＩＤＥＯクロマデーコーダーなどで構成されている。アナログ放送デコーダー５から出力されたアナログ映像信号はＡＤコンバーター６に入力されアナログ信号がデジタル信号に変換される。
【００１１】
デジタル信号に変換されたデジタル映像信号は、ＩＰ変換／ＲＧＢプロセッサ７に入力される。ＩＰ変換／ＲＧＢプロセッサ７はインターレスとプログレッシブの変換やＲ、Ｇ、Ｂ信号を生成するプロセッサである。ＩＰ変換／ＲＧＢプロセッサ７から出力されたデジタル映像信号は液晶表示装置などの表示装置８に入力され画像表示される。なお、音声再生部は図示を省略してある。
【００１２】
９はリモコン受光部であり、テレビジョン受像装置２はリモコン受光部９からリモコン３の操作信号を受信し、チャンネル切り替えやチャンネル再設定を実行する。１０はテレビジョン受像装置２全体を制御するマイクロコンピュータ（以下マイコンという）である。
【００１３】
また、テレビジョン受像装置２は、チャンネルの放送電波電界強度を検出するために、チャンネル電界強度検出回路１１を備えており、地上波アナログ放送用チューナー４で受信された信号を入力し、マイコン１０に、マイコン１０の指令に従い受信電波の電界強度をチャンネルごとに通知する。また、テレビジョン受像装置２は、第１の実施の形態の動作プログラム、及びチャンネルごとの電波電界強度を記憶した記憶部１５を備えている。
【００１４】
また、テレビジョン受像装置２の電源プラグ１２が商用電源のコンセントに差し込まれ、電源電圧を検出したとき、この検出信号をマイコン１０に出力するコンセント差込み検出回路１４を備えている。後述するように、コンセント差込み検出回路１４でコンセント差込みが検出されると、マイコン１０は記憶部１５に記憶されたチャンネル対放送電波電界強度のパターンとチャンネル電界強度検出回路１１で検出されたチャンネル対放送電波電界強度のパターンとが一致しているか否かを照合するようになっている。
【００１５】
このコンセント差込み検出回路１４はテレビジョン受像装置２の電源ＯＮ／ＯＦＦスイッチ１３よりプラグ１２側に接続されており、電源ＯＮ／ＯＦＦスイッチ１３のＯＮ／ＯＦＦ状態に拘わらずプラグ１２のコンセントへの抜き差し状態が分かるようになっている。すなわち、テレビジョン受像装置２の電源プラグ１２は通常の使用状態では頻繁に抜き差しすることはない。一方、引越しの際にはプラグ１２を必ず一度は抜き差しするので、引越しの際には必ずコンセント差込み検出回路１４によりコンセント差込みが検出されるのである。
また、チャンネル対放送電波電界強度のパターンが同じ設置場所でのコンセント抜き差しの場合（設置場所が移動しないか、移動しても近い距離のとき）にはチャンネル対放送電波電界強度のパターンが変化しないので、後述するように、チャンネルの再設定は必要ないと判断され、引越しでないプラグの抜き差しが区別されるのである。
【００１６】
なお、コンセント差込み検出回路１４の電源からの入力を、電源ＯＮ／ＯＦＦスイッチ１３よりテレビジョン受像装置２の内側になるように接続しても引越しのときのプラグの抜き差しを検出できるが、このときには、電源ＯＮ／ＯＦＦスイッチ１３のＯＮ／ＯＦＦごとに引越し検出のプログラムが起動される。
【００１７】
図２はプラグ１２が差し込まれたときの動作シーケンスを示したものである。図２の（ａ）はプラグ１２の抜き差し状態を示す。また、（ｂ）はコンセント差込み検出回路１４からマイコン１０への信号を示す。また、（ｃ）は電源ＯＮ／ＯＦＦスイッチ１３のＯＮ／ＯＦＦ状態を示す。また、（ｄ）は表示装置８の画面表示状態を示す。また、（ｅ）はマイコン１０からコンセント差込み検出回路１４へのリセット信号を示す。また、（ｆ）はチャンネル再設定操作を示す。
【００１８】
まず、時間t1においてプラグ１２がコンセントに差し込まれると、（ｂ）に示したようにコンセント差込み検出回路１４からマイコン１０への信号が出力される。次に、ユーザは放送を見るために時間t2でテレビジョン受像装置２の電源ＯＮ／ＯＦＦスイッチ１３を投入する。
マイコン１０は、コンセント差込み検出回路１４からの入力を参照することによりプラグ１２がコンセントに差し込まれたことを認識するので、チャンネルサーチを実行してチャンネルごとの電波電界強度を検出する。ここで後述の方法によりチャンネルの内容が変わっていることが検出された場合、（ｄ）に示したように表示装置８の画面に、図４に示したような、チャンネルの内容が以前と相違していることの注意画面を表示し、もし引越しが行われたときにはチャンネルの再設定を促す案内を行う。
時間t3から所定時間が経過した時間t4でマイコン１０からコンセント差込み検出回路１４へリセット信号を出力し、（ｂ）に示したコンセント差込み検出回路１４からマイコン１０への信号をリセットする。
もし引越しをしたのであれば、ユーザは表示装置８の案内画面により引越しでチャンネルの内容が変化したことを認識しチャンネルの再設定を行う（時間t5以降）。
【００１９】
次に図３を参照して本実施の形態の動作フローを説明する。
まず、ステップＳ１において商用電源のコンセントにプラグ１２が差し込まれると、コンセント差込み検出回路１４はプラグ１２がコンセントに差し込まれたことを検出する。コンセント差込み検出回路１４はこの検出信号をマイコン１０に出力する。この信号を受け取ったマイコン１０はチャンネル電界強度検出回路１１にチャンネルごとの電波電界強度を測定するように指令する。
【００２０】
ステップＳ２において、チャンネル電界強度検出回路１１は受信周波数を掃引してチャンネルごとの放送電波電界強度を測定しマイコン１０に測定結果を通知する。
【００２１】
ステップＳ３において、マイコン１０は全てのチャンネルにおいて放送電波の電界強度が受信不能レベルの状態（以下、電界強度が０と表現する）であるか否かをチェックする。
もし、いずれかのチャンネルに放送電波の電界強度を検出したときはステップＳ４に進み、チャンネル対電界強度の対応関係（チャンネル対電界強度パターン）を作成する。
【００２２】
ステップＳ５において、マイコン１０は、ステップＳ４で作成されたチャンネル対電界強度パターンと記憶部１５に記憶された以前のチャンネル対電界強度パターンとを比較対照する。比較対照した結果パターンが異なっている場合にはステップＳ６に進み、チャンネル内容が相違している注意画面、例えば図４に示したような画面表示をする。図４の表示によりユーザは引越しによりチャンネル内容が変わったことを認識する。図４は、例えば、「チャンネルの内容が、以前と相違しています。引越しをされた場合はチャンネルを再設定してください。」というようなチャンネルの再設定を促す画面になっており、これによりステップＳ７に進み、ユーザのリモコン３操作によりチャンネル再設定が行われる。チャンネル再設定が終了して本動作フローが終了する（ステップＳ８）。
【００２３】
ステップＳ５において、比較対照した結果チャンネル対電界強度パターンが同じ場合には、設置場所が移動していないか、移動しても近い距離のときの単なるプラグの抜き差しであるとしてステップＳ８に進み本動作フローが終了する。
【００２４】
ステップＳ３において、全てのチャンネルにおいて電界強度が０の場合には何らかのトラブルが考えられるので、ステップＳ９に進み、故障対策（トラブルシューティング）の画面、例えば図５のように、「電波が受信されません。＊アンテナが外れていませんか。＊この場所は電波が届く場所ですか。＊アンテナは正しいものがついていますか。・・・」などの考えられる故障内容を表示し終了する（ステップＳ８）。この後、ユーザは図５の故障対策の案内を参考にして何らかの故障対策を行うことになる。
【００２５】
（第２の実施の形態）
次に、第２の実施の形態を図６、図７を参照して、更に詳しく説明する。
図６は本発明の具体的な第２の実施の形態における映像装置の構成図である。
図６において、１は放送電波を受信するアンテナ、２０２は映像装置であるテレビジョン受像装置、３はテレビジョン受像装置２０２を操作するリモコンである。なお、アンテナ１は、地上波デジタル放送、ＢＳデジタル放送、ＣＳデジタル放送で異なるものを複数必要とする場合も、アンテナ１として簡易に図示してある。
【００２６】
更にテレビジョン受像装置２０２の構成を説明すると、２０から２２はチューナーであり所望のチャンネルを選局してその信号を出力する。２０は地上波デジタル放送用チューナー、２１はＢＳデジタル放送用チューナー、２２はＣＳデジタル放送用チューナーである。
【００２７】
地上波デジタル放送用チューナー２０、ＢＳデジタル放送用チューナー２１、ＣＳデジタル放送用チューナー２２から出力された信号は切り替えスイッチＡ２３に入力される。替えスイッチＡ２３は後述するように、地上波デジタル放送用チューナー２０の出力信号、ＢＳデジタル放送用チューナー２１の出力信号、ＣＳデジタル放送用チューナー２２の出力信号のいずれかを選択するために設けられている。
【００２８】
切り替えスイッチＡ２３から出力されたデジタル映像信号はデジタル放送デコーダー２４に入力される。デジタル放送デコーダー２４はＥＰＧ（電子番組ガイド）メモリ、ＥＰＧデコーダーなどで構成されている。デジタル放送デコーダー２４はＥＰＧ（電子番組ガイド）メモリに記憶された情報から、放送局に独自の番号として割り振られたサービスＩＤ（以下ＳＩＤという）を検出する機能を有する。記憶部１６には、第２の実施の形態の動作プログラム、及びデジタル放送デコーダー２４で検出されたＳＩＤがチャンネルに対応させて記憶部１６に記憶されている。
なお、地上波デジタル放送では、チャンネルとそれに対応する放送局は地域により異なるので、記憶部１６に記憶されたチャンネル対ＳＩＤの対応関係は地域特有のものとなる。
【００２９】
デジタル放送デコーダー２４から出力されたデジタル映像信号は、ＩＰ変換／ＲＧＢプロセッサ７に入力される。ＩＰ変換／ＲＧＢプロセッサ７はインターレスとプログレッシブの変換やＲ、Ｇ、Ｂ信号を生成するプロセッサである。ＩＰ変換／ＲＧＢプロセッサ７から出力されたデジタル映像信号は液晶表示装置などの表示装置８に入力され画像表示される。
【００３０】
９はリモコン受光部であり、テレビジョン受像装置２０２はリモコン受光部９からリモコン３の操作信号を受信し、チャンネル切り替えや、チャンネル内容の再設定などを実行する。１０はテレビジョン受像装置２０２全体を制御するマイクロコンピュータ（以下マイコンという）である。
【００３１】
また、第１の実施の形態と同様、テレビジョン受像装置２０２の電源プラグ１２が商用電源のコンセントに差し込まれ電源電圧を検出したときこの検出信号をマイコン１０に出力するコンセント差込み検出回路１４を備えている。後述するように、コンセント差込み検出回路１４でコンセント差込みが検出されると、マイコン１０は記憶部１６に記憶されたチャンネル対ＳＩＤの対応関係が、実際に受信された電波から検出されたチャンネル対ＳＩＤの対応関係と一致しているか否かを照合するようになっている。
【００３２】
次に図７を参照して第２の実施の形態の動作フローを説明する。
まず、ステップＳ１１において、商用電源のコンセントにプラグ１２が差し込まれると、コンセント差込み検出回路１４はプラグ１２がコンセントに差し込まれたことを検出する。コンセント差込み検出回路１４はこの検出信号をマイコン１０に出力する。
【００３３】
ステップＳ１２において、この信号を受け取ったマイコン１０は、地上波デジタル放送の各チャンネルでその地域で実際に放送されて受信さる放送局のＳＩＤをデジタル放送デコーダ２４から検出する。
【００３４】
ステップＳ１３において、ＳＩＤが検出されたか否かがチェックされる。もし、ＳＩＤが検出されたときはステップＳ１４に進む。なお、ＳＩＤ検出は、先に記憶部１６に記憶されているチャンネルについて行う。
【００３５】
ステップＳ１４において、先に受信されて記憶部１６に記憶されている地上波デジタル放送のチャンネル対ＳＩＤの対応関係が、コンセントに差し込後に実際に受信されるチャンネル対ＳＩＤの対応関係と同じかどうか照合する。
【００３６】
もし、記憶部１６に記憶されている地上波デジタル放送のチャンネル対ＳＩＤの対応関係と異なっている場合にはステップＳ１５に進む。ステップＳ１５では、チャンネル内容が相違している注意画面、例えば図４に示したような画面表示をする。図４の表示によりユーザは引越しによりチャンネル内容が変わったことを認識する。図４は、例えば、「チャンネルの内容が、以前と相違しています。引越しをされた場合はチャンネルを再設定してください。」というようなチャンネルの再設定を促す画面になっており、これによりステップＳ１６に進み、ユーザのリモコン３操作によりチャンネル再設定が行われる。チャンネル再設定が終了して本動作フローが終了する（ステップＳ１７）。
【００３７】
ステップＳ１４においてチャンネル対ＳＩＤの対応関係を照合した結果、チャンネル対ＳＩＤの対応関係が同じ場合には、設置場所が移動していないか、移動しても近い距離のときの単なるプラグの抜き差しであるとしてステップＳ１７に進み本動作フローが終了する。
【００３８】
ステップＳ１３において、全てのチャンネルにおいてＳＩＤが検出されない場合には何らかのトラブルが考えられるので、ステップＳ１８に進み、故障対策（トラブルシューティング）の画面、例えば図５のように、「電波が受信されません。＊アンテナが外れていませんか。＊この場所は電波が届く場所ですか。＊アンテナは正しいものがついていますか。・・・」などの考えられる故障内容を表示し終了する（ステップＳ１７）。この後、ユーザは図５の故障対策の案内を参考にして何らかの故障対策を行うことになる。
【００３９】
（第３の実施の形態）
次に、第３の実施の形態を図８、図９を参照して、更に詳しく説明する。
図８は本発明の具体的な第３の実施の形態における映像装置の構成図である。
本第３の実施の形態は、上記第１の実施の形態（地上波アナログ放送を受信するテレビジョン受像装置の実施の形態）、上記第２の実施の形態（地上波デジタル放送、ＢＳデジタル放送、ＣＳデジタル放送を受信するテレビジョン受像装置の実施の形態）を併せ持った、地上波アナログ放送、ＢＳデジタル放送、ＣＳデジタル放送を受信するテレビジョン受像装置の実施の形態である。
【００４０】
本第３の実施の形態は、上記第１の実施の形態、上記第２の実施の形態の構成を併せ持つ他に、切り替えスイッチＢ２５を備えている点、記憶部１７に記憶されている内容が、第３の実施の形態の動作プログラム、及びチャンネル対電界強度とチャンネル対ＳＩＤが記憶されている点が異なっている。３０２はテレビジョン受像装置である。図８において、図１、図６に記載の符号と同一のものは同一内容のものを示しているので、これらについての詳しい説明は省略する。
【００４１】
次に図９を参照して本実施の形態の動作フローを説明する。
まず、ステップＳ２１において商用電源のコンセントにプラグ１２が差し込まれると、コンセント差込み検出回路１４はプラグ１２がコンセントに差し込まれたことを検出する。コンセント差込み検出回路１４はこの検出信号をマイコン１０に出力する。この信号を受け取ったマイコン１０はチャンネル電界強度検出回路１１にチャンネルごとの電波電界強度を測定するように指令する。
【００４２】
ステップＳ２２において、チャンネル電界強度検出回路１１は受信周波数を掃引してチャンネルごとの放送電波電界強度を測定しマイコン１０に測定結果を通知する。
【００４３】
ステップＳ２３において、マイコン１０は全てのチャンネルにおいて放送電波の電界強度が０であるか否かをチェックする。
もし、いずれかのチャンネルに放送電波の電界強度を検出したときはステップＳ２４に進み、チャンネル対電界強度の対応関係（チャンネル対電界強度パターン）を作成する。
【００４４】
ステップＳ２５において、マイコン１０は、ステップＳ２４で作成されたチャンネル対電界強度パターンと記憶部１７に記憶された以前のチャンネル対電界強度パターンとを比較対照する。比較対照した結果パターンが異なっている場合にはステップＳ２６に進み、チャンネル内容が相違している注意画面、例えば図４に示したような画面表示をする。図４の表示によりユーザは引越しによりチャンネル内容が変わったことを認識する。図４は、例えば、「チャンネルの内容が、以前と相違しています。引越しをされた場合はチャンネルを再設定してください。」というようなチャンネルの再設定を促す画面になっており、これによりステップＳ２７に進み、ユーザのリモコン３操作によりチャンネル再設定が行われる。チャンネル再設定が終了して本動作フローが終了する（ステップＳ２８）。
【００４５】
ステップＳ２５において、比較対照した結果チャンネル対電界強度パターンが同じ場合には、更に地上波デジタル放送のチャンネル内容をチェックするためにステップＳ２９に進む。
【００４６】
ステップＳ２９において、マイコン１０は、地上波デジタル放送の各チャンネルでその地域で実際に放送されて受信さる放送局のＳＩＤをデジタル放送デコーダー２４から検出し、ステップＳ３０に進む。
【００４７】
ステップＳ３０において、先に受信されて記憶部１７に記憶されている地上波デジタル放送のチャンネル対ＳＩＤの対応関係が、コンセントに差し込後に実際に受信されるチャンネル対ＳＩＤの対応関係と同じかどうか照合する。
【００４８】
もし、記憶部１７に記憶されている地上波デジタル放送のチャンネル対ＳＩＤの対応関係と異なっている場合にはステップＳ２６に進む。
【００４９】
ステップＳ３０においてチャンネル対ＳＩＤの対応関係を照合した結果、チャンネル対ＳＩＤの対応関係が同じ場合には、設置場所が移動していないか、移動しても近い距離のときの単なるプラグの抜き差しであるとしてステップＳ２８に進み本動作フローが終了する。
【００５０】
ステップＳ２３において、全てのチャンネルにおいて電界強度が０の場合には何らかのトラブルが考えられるので、ステップＳ３１に進み、故障対策（トラブルシューティング）の画面、例えば図５のように、「電波が受信されません。＊アンテナが外れていませんか。＊この場所は電波が届く場所ですか。＊アンテナは正しいものがついていますか。・・・」などの考えられる故障内容を表示し終了する（ステップＳ２８）。この後、ユーザは図５の故障対策の案内を参考にして何らかの故障対策を行うことになる。
【００５１】
上記第１〜第３の実施の形態では、プラグ１２がコンセントに差し込まれて電源電圧を検出し、更に電源ＯＮ／ＯＦＦスイッチ１３がＯＮされた直後に受信しているチャンネルの内容が以前のチャンネルの内容と同じかどうかを照合するようにしたが、電源ＯＮ／ＯＦＦスイッチ１３がＯＮされたら直ちにチャンネル内容の照合をしないで、電源ＯＮ／ＯＦＦスイッチ１３がＯＮされて所定時間後の放送受信中にチャンネル内容の照合を行うようにしてもよい。
【００５２】
また、上記ではテレビジョン受像装置に電源接続用のプラグ１２が設けられているとしたがこれには限らない。例えばプラグ１２に代えて、商用電源に電源投入用のスイッチを接続し、このスイッチを介して商用電源に直接接続して受電するようにしても良い。この場合、商用電源に上記電源投入用のスイッチが投入されると、コンセント差込み検出回路１４に相当する検出回路が電源に接続されたことを検出する。このコンセント差込み検出回路１４に相当する検出回路は、コンセント差込み検出回路１４と構成が同じではあるが、呼び名を変えて電源接続検出回路などとすればよい。商用電源に接続するプラグやコンセントにはスイッチと組にしたスイッチ付コンセントなども市販されており、これらを使用するなど変形した実施例が考えられる。
【００５３】
以上、第１〜第３の実施の形態について具体的に説明してきたが、本発明は上記実施に形態に限定されることはなく、本発明の要旨を変えない範囲で、適宜、具体的な構成を変更できることは言うまでもない。
【産業上の利用可能性】
【００５４】
本発明は、地域によりチャンネルの放送内容が異なる電波を受信するような使い方をするテレビジョン受像装置（例えば地上波アナログ放送受信用テレビジョン受像装置、地上波デジタル放送受信用テレビジョン受像装置など）に広く利用できる。
【図面の簡単な説明】
【００５５】
【図１】本発明による第1の実施の形態である地上波アナログ放送を受信するテレビジョン受像装置の構成を示す図である。
【図２】本発明による第1〜３の実施の形態であるテレビジョン受像装置における動作シーケンスを示す図である。
【図３】本発明による第1の実施の形態であるテレビジョン受像装置における動作フローチャートである。
【図４】本発明による第1〜３の実施の形態であるテレビジョン受像装置における、チャンネル内容が相違したときの表示画面の一例を示す図である。
【図５】本発明による第1〜３の実施の形態であるテレビジョン受像装置における、放送電波が受信できないときの表示画面の一例を示す図である。
【図６】本発明による第２の実施の形態である地上波アナログ放送を受信するテレビジョン受像装置の構成を示す図である。
【図７】本発明による第２の実施の形態であるテレビジョン受像装置における動作フローチャートである。
【図８】本発明による第３の実施の形態である地上波アナログ放送を受信するテレビジョン受像装置の構成を示す図である。
【図９】本発明による第３の実施の形態であるテレビジョン受像装置における動作フローチャートである。
【符号の説明】
【００５６】
１・・・受信アンテナ
２、２０２、３０２・・・テレビジョン受像装置
３・・・リモートコントローラ（リモコン）
４・・・地上波アナログ放送用チューナー
５・・・アナログ放送デコーダー
６・・・ＡＤコンバーター
７・・・ＩＰ変換／ＲＧＢプロセッサ
８・・・表示装置
９・・・リモコン受光部
１０・・・マイクロコンピュータ（マイコン）
１１・・・チャンネル電界強度検出回路
１２・・・電源プラグ
１３・・・電源ＯＮ／ＯＦＦスイッチ
１４・・・コンセント差込み検出回路
１５、１６、１７・・・記憶部
２０・・・地上波デジタル放送用チューナー
２１・・・ＢＳデジタル放送用チューナー
２２・・・ＣＳデジタル放送用チューナー
２３・・・切り替えスイッチＡ
２４・・・デジタル放送デコーダー
２５・・・切り替えスイッチＢ
【図１】
2006211099.tif 000003
【図２】
2006211099.tif 000004
【図３】
2006211099.tif 000005
【図４】
2006211099.tif 000006
【図５】
2006211099.tif 000007
【図６】
2006211099.tif 000008
【図７】
2006211099.tif 000009
【図８】
2006211099.tif 000010
【図９】
2006211099.tif 000011